(57)【特許請求の範囲】
【請求項１】
第１フライホイールと第２フライホイールの間にバネを介設し、両フライホイールをベアリングで同心に支持した２マス型のフライホイールにおいて、第２フライホールのハブに嵌着される内輪をもつベアリングを備え、第１フライホイールの内周側に、前記ベアリングの外輪の外周を囲む筒部と一端面に当接するフランジをプレス加工により連設し、該第１フライホイールを外周側でバネ保持部材に溶接して油室を形成し、前記ベアリングの外輪の外周を囲む筒部の半径方向外方に、摩擦連結部を支持する筒部をプレス加工により連設し、前記ベアリングの外輪の外周を囲む筒部と摩擦連結部を支持する筒部の径方向中間部に、前記ベアリングの外輪の他端面に当接する半径方向外方にオフセットした押し板を固定するリベット部を設けたことを特徴とする、２マス型のフライホイール。
【発明の詳細な説明】
【０００１】
【発明の属する技術分野】
本発明は、エンジンのクランク軸と伝動装置の間に設けられて低速時の振動回転を平滑化するために用いる、２マス型のフライホイールに関する。
【０００２】
【従来の技術】
この種のフライホイールは、例えば実開平5-22900号公報に示されているが、その第１フライホイール及び第２フライホイールは、切削又は研削により加工された部材が嵌合又は重合することによって組立てられている。しかし、このような構成にすると部品数が多く構造複雑になり、また前記の加工手段は大量生産に向かないため、被加工物は高価にならざるを得ない。
【０００３】
【発明が解決しようとする課題】
本発明は、第１フライホイールをプレス加工によって大量生産が容易にできる構成にすることを形成することを課題とする。
【０００４】
【課題を解決するための手段】
前記課題を解決するための第１の手段は、特許請求の範囲に記載したとおり、第１フライホイールと第２フライホイールの間にバネを介設し、両フライホイールをベアリングで同心に支持した２マス型のフライホイールにおいて、第２フライホールのハブに嵌着される内輪をもつベアリングを備え、第１フライホイールの内周側に、前記ベアリングの外輪の外周を囲む筒部と一端面に当接するフランジをプレス加工により連設し、他端面に当接する半径方向外方にオフセットした押し板を固定するリベット部を設けたことを特徴とするものであり、この構成により、第１フライホイールと第２フライホイールがベアリングを介して同心に保持される。
【０００５】
また、前記ベアリングを囲む筒部の半径方向外方に、摩擦連結部を支持する筒部をプレス加工により連設したことを特徴とするものであり、この構成することにより、摩擦連結部の支軸となる筒部を、ベアリング用の筒部と同時に形成することができる。
【０００６】
【発明の実施の形態】
以下、図面を参照して本発明の実施の形態を説明する。図１，２において１は２マス型のフライホイールであり、２はその駆動板でボルト３によってエンジンのクランク軸４に固定される。５は第１のマス部の主部を形成する板状の第１フライホイール、６はエンジン始動のために図外のピニオン及び始動モータで駆動されるリングギアである。
【０００７】
駆動板２には、外周寄りの２〜４個所に位置決め突起２1が設けられると共にボルト穴２2が穿設され、第１フライホイール５には位置決め穴５1とボルト穴５2が穿設され、リングギア６には、位置決め穴６1とねじ穴６2が穿設される。そして、位置決め突起２1を位置決め穴５1，６1に嵌合して３部材２，５，６の位置決めをしたのち、ボルト７をボルト穴５2に挿入してねじ穴６2にねじ込むことにより、一体に固定される。
【０００８】
第１のマス部を形成する第１のフライホイール５の側面には、後記するバネ保持部材３０の外周側に形成したフランジ３０ａが段状に重ねられ、両部材の接合面が溶接部３１によって全周にわたって溶接され、その内部に油室３２が形成されている。
【０００９】
第１フライホイール５とバネ保持板３０は、他の部材と同様に、加工性、軽量性、経済性の点から薄板をプレス加工して作られており、溶接部３１は、油室３２内に生じる圧力に対し気密性及び強度が十分でなければならない。
【００１０】
ところが、第１フライホイール５とバネ保持板３０は薄板でしかも段状に重ねられたものであるから、気密性をもつ溶接を行なうことが困難である。しかし、本発明においては、レーザー溶接を採用して接合面にレーザー光を斜めに照射する溶接手段を採用することにより所望の効果をもつ溶接構造が得られた。
【００１１】
そして、このフライホイール１の第１フライホイール５は、摩擦連結部１１、バネ装置１２、被動板３３を介してハブ１３に接続され、該ハブ１３には第２マス部の主部を形成する第２フライホイール１４が固定される。１３1はクラッチ接続用のねじ孔、１４1はマスである。
【００１２】
第１フライホイール５の中心側には、プレス加工で筒部１５、１６が２段に設けられ、内側の筒部１５内にはベアリング１７が保持され、第１フライホイール５は該ベアリング１７を介してハブ１３に支持される。ベアリング１７を保持する手段として、その外輪を筒部１５から伸びるフランジ１５1とリベット１８で固定された押し板１９で挟持し、内輪をハブ１３の段部１３2とＣリング２０で挟持している。
【００１３】
前記摩擦連結部１１は、外側の筒部１６に嵌設され、被動摩擦板２１の両側に摩擦リング２２，２３が接し、更に一方の前記摩擦リング２２は第１フライホイール５に接し、他方の摩擦リング２３はワッシャ２４に接し、該ワッシャ２４には皿ばね２５、押し板２６が順次重ねられ、該押し板２６はリベット２７で第１フライホイール５に固定され、皿バネ２５の弾発力が各接触面に作用する。また、ワッシャ２４と押板２６の外周には爪２４1、２６1が設けられて互いにかみ合い係止されているから、第１フライホイール５のトルクは、摩擦板２２，２３を介して被動摩擦板２１に伝達される。
【００１４】
図２に示すように、被動摩擦板２１にはコ字形の２種の凹部２１1，２１2が設けられ、両凹部間に舌片２１3が形成され、一方の凹部２１1に弱いバネ２８が保持され、他の凹部２１2に２重の強いバネ２９が保持されている。該バネ２８，２９は、図１でバネ装置１２として示したものである。２８1，２９1は各バネの両端に嵌着したバネ座で、該バネ座２８1，２９1が舌片２１3に接する。
【００１５】
また図１で明らかなように、バネ２８，２９の一側部を覆うと共に前記凹部２１1，２１2と共同してバネ座２８1，２９1を保持するバネ保持板３０が溶接部３１で第１フライホイール５に溶接されている。該バネ保持板３０には、内向きの一対の段部３０1，３０1が２組設けられ、第１フライホイール５側にも同じ段部３０1が設けられて、これにより前記のとおり凹部２１2と共に強いバネ２９のバネ座２９1を保持し、更に第１フライホイール５とバネ保持板３０によってグリースを収容する油室３２が形成される。
【００１６】
前記、バネ保持板３０の溶接に先立って、ハブ１３に被動板３３が溶接される。該被動板３３には大小のコ字形の凹部３３1，３３2が設けられて舌片３３3が形成されている。この被動板３３と一体のハブ１３には前記第２フライホイール１４が溶接されているから、被動板３３も第２フライホイール１４のマスの一部として作用する。３４は油室３２を閉じるオイルシールである。
【００１７】
図２で摩擦被動板２１が矢印Ａ方向に回転すると、油室３２内に封入されたグリースは、遠心力によって圧力が上昇し外周側に向けて加圧されるが、溶接部３１が密閉されているので漏洩は防止される。このとき、バネ２９は段部３０1により矢印Ａ方向に押され、弱いバネ２８は被動板３３の舌片３３3に直ちにトルクを伝えるが、強いバネ２９は舌片３３3に接触するに至らず、弱いバネ２８のみが圧縮される。そして伝達トルクが更に増大すると強いバネ２９が舌片３３3に接してこれにトルクを伝える。
【００１８】
伝達トルクが変動するとバネ２８，２９が伸縮し、第１フライホイール５と被動摩擦板２１は相対運動し摩擦連結部１１に摩擦抵抗が生じ、該相対運動は、トルクの変動に伴って往復運動として作用する。相対運動が矢印Ａと逆方向の場合は前記と反対の作用をするから、振動回転が伝達されるとバネによる緩衝作用に加えて摩擦抵抗による振動減衰作用が生じる。強いバネ２９に圧縮が加わるときも同じ作用が生じる。
【００１９】
このフライホイール１において、第１フライホイール５と第２フライホイール１４による動的減衰作用は前記の従来のものと同じであるが、摩擦連結部１１による減衰作用が加わるため、減衰作用が増大する。
【００２０】
このフライホイール１の振動減衰作用は、エンジンの低速回転時に主として生じ、摩擦結合部１１による減衰作用、バネ２８，２９による緩衝作用、油室３２内のグリスとバネ２８，２９及びバネ座２８1，２９1との間に生じる粘性抵抗、第１フライホイール５と第２フライホイール１４による動的減衰作用等の重なりによって振動が減衰される。
【００２１】
【発明の効果】
以上の説明から明らかなように、請求項１の手段によれば、第１フライホイールの内周側にプレス加工により筒部とフランジを設け、これらと押し板でベアリングの外輪を保持するようにしたから、切削、かしめ等の工程が不要であり、加工及び組立てが極めて容易になる利点を有する。
【００２２】
また、請求項２の手段によれば、ベアリングの外輪を支持する筒部の半径方向外方に、摩擦連結部を支持する筒部をプレス加工により連設したから、両部分を同時にプレス加工でき、極めて能率的に生産できる利点を有する。
【図面の簡単な説明】
【図１】  本発明を実施したフライホイールの縦断面図
【図２】  同上正面図
【符号の説明】
２  駆動板                      ５  第１フライホイール
６  リングギア                 １１  摩擦連結部
１２  バネ装置                     １３  ハブ
１４  第２フライホイール     １５，１６  筒部
１７  フランジ部                   ２１  被動摩擦板
２３，２３  摩擦リング                   ３０  バネ保持板
３０ａ  フランジ                     ３１  溶接部
３２  油室                         ３３  被動板
【図１】
0003732259.tif 000002
【図２】
0003732259.tif 000003